(57)【要約】【課題】貯留タンクに補給容器から肥料を補給する際の手間を軽減する。【解決手段】貯留タンク３５にタンク外壁に支持される保持フレームＦを備えた。この保持フレームＦは貯留タンク３５の補給口３５Ｃの内部に、補給容器６０の排出口６１を嵌め込む形態で、補給容器６０を支持する構成を有している。【選択図】図６
2013055909.tif 000002
【特許請求の範囲】
【請求項１】
貯留タンクに貯留されている液状の肥料又は薬剤を、走行機体の走行に伴い繰出機構で繰り出し、圃場に送り出す供給装置を備えている水田作業機であって、
前記貯留タンクにおいて上方に開放する補給口に対し、補給容器の排出口から自重により排出される前記肥料又は薬剤を導入する際に、前記補給口と前記排出口との相対的な位置関係を維持した状態で前記補給容器を保持する保持フレームを備えている水田作業機。
【請求項２】
前記補給口の内部に前記排出口が嵌り込む位置関係を維持するように前記保持フレームによる前記補給容器の保持位置が設定され、前記保持フレームが、前記貯留タンクの前記補給口の近傍に位置するタンク外壁に支持されている請求項１記載の水田作業機。
【請求項３】
前記保持フレームが、棒状材で構成されている請求項１又は２記載の水田作業機。
【請求項４】
圃場面に苗を移植する苗植付装置が前記走行機体に備えられ、前記苗植付装置に使用する苗を載置する予備苗載台を支持するように前記走行機体の前部位置に縦向き姿勢の支柱状フレームが備えられ、この支柱状フレームに前記貯留タンクが支持されている請求項１から３のいずれか一項に記載の水田作業機。
【請求項５】
前記保持フレームと、前記支柱状フレームとを連結する補強フレームを備えている請求項４記載の水田作業機。
【発明の詳細な説明】
【技術分野】
【０００１】
本発明は、貯留タンクに貯留されている液状の肥料又は薬剤を、走行機体の走行に伴い繰出機構で繰り出し、圃場に送り出す供給装置を備えている水田作業機に関する。
【背景技術】
【０００２】
上記のように構成された水田作業機として特許文献１には、走行機体の前部位置の左右の予備苗載収容装置（本発明の予備苗載台）の下側に肥料タンク（本発明の貯留タンク）を備え、この肥料タンクに貯留されているペースト肥料を送り出す側条施肥ポンプを走行機体の後部に備え、この側条施肥ポンプから送られる肥料を圃場の泥土内に供給する側条施肥ノズルを整地フロートに備えた構成が示されている。
【０００３】
この特許文献１では、肥料タンクが前後方向に移動自在に支持され、肥料タンクに肥料を補給する場合には、肥料タンクを前方に引き出すことで予備苗収容装置と干渉することなく肥料の補給を行える。
【先行技術文献】
【特許文献】
【０００４】
【特許文献１】特開２００４‐２９８１２１号公報
【発明の概要】
【発明が解決しようとする課題】
【０００５】
貯留タンクに対して肥料又は薬剤を補給容器から補給する際には、貯留タンクの上部の供給部の蓋を開放した状態で補給容器に収容された肥料又は薬剤を供給部に対して流し込む作業形態となる。
【０００６】
具体的な作業形態として、排出用の排出口が上部に形成された補給容器を用いる場合には、この補給容器の上下を逆にして（上下を反転させて）、この排出口を、貯留タンクの供給口の上方に配置する位置関係で補給が行われる。しかしながら、ペースト肥料のように粘性の高い肥料を補給する場合には、補給容器から肥料を流し出すために長時間を必要とするため、補給容器を長時間に亘って支持する必要があった。
【０００７】
このような補充形態において補給容器を人為的に支持する場合には、作業者が長時間に亘って補給容器を持ち続ける必要があるため、作業者を疲労させることに繋がることになり改善の余地があった。
【０００８】
本発明の目的は、貯留タンクに補給容器から肥料又は薬剤を補給する際の手間を軽減する水田作業機を合理的に構成する点にある。
【課題を解決するための手段】
【０００９】
本発明の特徴は、貯留タンクに貯留されている液状の肥料又は薬剤を、走行機体の走行に伴い繰出機構で繰り出し、圃場に送り出す供給装置を備えている水田作業機であって、
前記貯留タンクにおいて上方に開放する補給口に対し、補給容器の排出口から自重により排出される前記肥料又は薬剤を導入する際に、前記補給口と前記排出口との相対的な位置関係を維持した状態で前記補給容器を保持する保持フレームを備えている点にある。
【００１０】
この構成によると、貯留タンクに補給容器の肥料又は薬剤を補給する場合には、補給容器を保持フレームに保持することにより、補給容器の排出口から自重によって排出される肥料又は薬剤を貯留タンクの補給口に送り込む状態を維持できることになり、作業者が補給容器を人為的に保持する必要がない。
従って、貯留タンクに補給容器から肥料又は薬剤を補給する際の手間を軽減する水田作業機が構成された。
【００１１】
本発明は、前記補給口の内部に前記排出口が嵌り込む位置関係を維持するように前記保持フレームによる前記補給容器の保持位置が設定され、前記保持フレームが、前記貯留タンクの前記補給口の近傍に位置するタンク外壁に支持されても良い。
【００１２】
これによると、この保持フレームに補給容器を支持することで、補給口の内部に補給容器の排出口を嵌り込む位置に維持し、排出口の外部に肥料がこぼれ出る不都合を招くことなく補給できる。また、貯留タンクのタンク外壁に対して保持フレームが支持されているので、補給口と排出口との相対的な位置関係を変化させることなく補給容器の位置を維持できる。
【００１３】
本発明は、前記保持フレームが、棒状材で構成されても良い。
【００１４】
これによると、保持フレームを軽量化し、雨水の排出を良くし、塵埃が保持フレームの表面に付着する現象も抑制できる。
【００１５】
本発明は、圃場面に苗を移植する苗植付装置が前記走行機体に備えられ、前記苗植付装置に使用する苗を載置する予備苗載台を支持するように前記走行機体の前部位置に縦向き姿勢の支柱状フレームが備えられ、この支柱状フレームに前記貯留タンクが支持されても良い。
【００１６】
これによると、予備苗載台を支持する支柱状フレームに貯留タンクを支持することにより、この貯留タンクを支持するための専用のフレームを備えずに済み、貯留タンクの支持構成の小型化、軽量化が実現する。
【００１７】
本発明は、前記保持フレームと、前記支柱状フレームとを連結する補強フレームを備えても良い。
【００１８】
これによると、保持フレームを支柱状フレームに対して補強フレームにより連結することにより、保持フレームを貯留タンクのみに支持する構成と比較して、保持フレームの姿勢を安定させ、補給容器の保持姿勢を安定させ、安定的な補給を実現する。
【図面の簡単な説明】
【００１９】
【図１】田植機の全体側面図である。
【図２】田植機の全体平面図である。
【図３】田植機の前部の正面図である。
【図４】田植機の前部の側面図である。
【図５】展開姿勢に設定された予備苗載置ユニットの側面図である。
【図６】補給容器を保持した状態の保持フレームと貯留タンクとの断面図である。
【図７】保持フレームと貯留タンクとを示す斜視図である。
【図８】図６のVIII−VIII線の断面図である。
【図９】増量タンクの配置を示す正面図である。
【図１０】増量タンクの支持構成を示す分解斜視図である。
【発明を実施するための形態】
【００２０】
以下、本発明の実施形態を図面に基づいて説明する。
〔全体構成〕
以下、本発明の実施形態を図面に基づいて説明する。
図１〜図３に示すように、左右一対の前車輪１と左右一対の後車輪２とを有した走行機体Ａの中央に運転座席３を配置し、走行機体Ａの後端にリンク機構Ｌを介して苗植付装置Ｂを昇降自在に連結し、走行機体Ａの前部位置の両側部に予備苗載置ユニットＣを備え、この予備苗載置ユニットＣの下側に配置され貯留タンク３５に貯留されたペースト肥料（以下、肥料と略称する）を圃場面に供給する施肥装置Ｄ（供給装置の一例）を備えて水田作業機の一例としての乗用型田植機が構成されている。
【００２１】
この乗用型田植機は、走行機体Ａの前部のボンネット４の内部にエンジンＥが配置され、このエンジンＥの下方にエンジンＥからの動力が伝えられるミッションケース５を備え、このミッションケース５から左右の前車輪１と左右の後車輪２とに伝える走行駆動系を備え、走行機体Ａの走行速度と同期した駆動力を外部出力軸６を介して苗植付装置Ｂに伝える作業伝動系を備えている。
【００２２】
運転座席３の前方位置には、左右の前車輪１を操向操作（操舵）するステアリングホイール７が配置され、このステアリングホイール７の左側部には、主変速レバー８が配置され、運転座席３の近傍には、苗植付装置Ｂの昇降とミッションケース５に内蔵した植付クラッチ（図示せず）の断続を行う昇降レバー９が配置されている。
【００２３】
リンク機構Ｌは、複数のリンク部材１１を有すると共に、油圧式の昇降シリンダ１２を有しており、昇降シリンダ１２の伸縮作動により苗植付装置Ｂの姿勢を維持したまま昇降を行う。
【００２４】
苗植付装置Ｂは、複数の整地フロート１４と、マット状苗Ｗを載置する苗載台１５と、苗載台１５に載置されたマット状苗Ｗから苗を切り出して圃場面に植え付けるロータリ式の複数の植付機構１６とを備えている。この構成から苗植付け作業時には、走行機体Ａの走行に伴い複数の整地フロート１４が苗植え付け箇所の泥面を整地する一方で、外部出力軸６から伝えられる駆動力により、苗載台１５を左右方向に一定ストロークで往復作動させ、この往復作動時に苗載台１５のマット状苗Ｗの下端から植付機構１６が苗を所定量ずつ切り出して圃場に植え付ける植え付け作動が行われる。
【００２５】
運転座席３の下方位置にステップ２１が形成されると共に、ボンネット４の左右の両側部にはステップ２１に連なり走行機体Ａの前端位置に達する搭乗フロア２２が形成されている。また、ステップ２１と搭乗フロア２２との外側には、これらと同じレベルとなる拡張ステップ２３が備えられている。
【００２６】
〔予備苗載置ユニット〕
ボンネット４の外側の搭乗フロア２２の両外側位置に縦向き姿勢となる一対の支柱状フレーム２５が備えられ、この支柱状フレーム２５に対して等しい構造の４つの予備苗載台Ｃａを備えて予備苗載置ユニットＣが構成されている。左右位置に一対ずつ配置される支柱状フレーム２５は、その基端部が走行機体Ａの前部位置の機体フレーム２０に強固に連結固定され、４つの予備苗載台Ｃａは、図１、図３に示す如く、平面視で夫々が上下に重なり合う重複姿勢と、図５に示す如く、下段の３つの予備苗載台Ｃａが平面視で夫々が前後向きに直線状で前後に隣接する展開姿勢とに切換自在に構成されている。
【００２７】
重複姿勢において、上下に並ぶ予備苗載台Ｃａの上端のものを１段目と称し、これより下側のものを順次、２段目、３段目、４段目と称すると、展開姿勢では１段目と３段目との予備苗載台Ｃａが支柱状フレーム２５に対し固定ブラケット２６により固定状態で支持され、２段目と４段目との予備苗載台Ｃａが着脱ブラケット２７を介して支柱状フレーム２５に対し着脱自在に備えられている。また、３段目の予備苗載台Ｃａの前部位置に前部連結片２８を備え、後部位置に後部連結片２９を備えると共に、２段目の予備苗載台Ｃａの後端位置に後部連結片２９を備え、４断面の予備苗載台Ｃａの前端位置に前部連結片２８を備えている。
【００２８】
前部連結片２８と後部連結片２９とは、前部連結片２８に備えられた横向き姿勢のピン３０を介し連結及び分離自在に構成され、予備苗載置ユニットＣを展開姿勢に切り換える場合には、２段目の予備苗載台Ｃａを支柱状フレーム２５から取り外し、その後部連結片２９を３段目の予備苗載台Ｃａの前部連結片２８のピン３０に係合させる形態で連結し、４段目の予備苗載台Ｃａを支柱状フレーム２５から取り外し、前部連結片２８のピン３０を３段目の予備苗載台Ｃａの後部連結片２９に係合させる形態で連結する操作を行うことになる。
【００２９】
４つの予備苗載台Ｃａには、マット状苗Ｗを収容した１つの育苗箱（図示せず）や苗すくい板（図示せず）を載置可能し得る幅及び長さとなるサイズに形成され、育苗箱に収容された状態、あるいは、苗すくい板に載せ付けられたマット状苗を載置することにより、作業時に苗載台１５に対してマット状苗Ｗの補給を容易に行えるようにする。
【００３０】
〔施肥装置〕
図１に示す如く、供給装置としての施肥装置Ｄは、予備苗載台Ｃａの下側に備えられる左右の貯留タンク３５と、この前方位置に備えられる左右の増量タンク３６と、左右の貯留タンク３５の下側に配置したポンプユニット３７（繰出機構の一例）と、このポンプユニット３７から送り出される肥料を送るホース３８と、このホースで送られる肥料を圃場の泥面下に供給するように整地フロート１４に支持される施肥ノズル３９とを備えて構成されている。
【００３１】
この田植機は８条植用に構成され、８条に植付られる苗の近傍の泥土中に施肥を行うように施肥ノズル３９は８つ備えられ、左側のポンプユニット３７から左側の４つの施肥ノズル３９に対してホース３８により肥料を送り出し、これと同様に、右側のポンプユニット３７から右側の４つの施肥ノズル３９に対してホース３８により肥料を送り出すように施肥形態が設定されている。
【００３２】
この施肥装置Ｄは、走行機体Ａの走行時にポンプユニット３７を駆動する駆動系を備えており、苗植付装置Ｂが圃場面に対して苗を植え付ける作業時に施肥ノズル３９から圃場面下の泥土中に肥料を送り出す形態で施肥を行う。
【００３３】
貯留タンク３５は樹脂で形成されるものであり、図６、図７に示すように、下面に縦姿勢の連結リブ３５Ａを形成し、前部には上方に開放する筒状となる補給口３５Ｃを形成している。一対の支柱状フレーム２５の下部位置には、水平姿勢で外方に突出する一対の連結ブラケット４１が平行姿勢で備えられ、この一対の連結ブラケット４１に載せ付ける位置に貯留タンク３５が配置され、この貯留タンク３５の連結リブ３５Ａと連結ブラケット４１とに挿通する連結ボルト４２によって連結ブラケット４１に貯留タンク３５を締結する形態で、貯留タンク３５が支持されている。また、補給口３５Ｃを開閉する蓋体３３が、補給口３５Ｃの後部位置のヒンジ３３Ａにより開閉自在に支持され、この蓋体３３を閉じ姿勢の維持するバックル３３Ｂが補給口３５Ｃの前部位置に備えられている。
【００３４】
貯留タンク３５の下面には貯留タンク３５の底壁の排出開口３５Ｄに接続する状態で下方に突出する供給管３４が備えられている。また、貯留タンク３５の底壁の内面は、図８に示すように、幅方向の中央位置に前後方向に溝状部３５Ｂが形成され、底壁の内面を自重によって流れる肥料を余すことなく排出開口３５Ｄに送り、供給管３４から送り出せるように構成されている。図４、図７に示すように、供給管３４の中間から横方向に伸びる分岐管３４Ａが形成され、貯留タンク３５からの肥料は分岐管３４Ａからポンプユニット３７に供給される。この供給管３４の下端には着脱自在にキャップ３４Ｂが取付られ、作業の終了時のように貯留タンク３５の肥料を排出する場合には供給管３４の下端のキャップ３４Ｂを取り外して、タンク内の肥料の全てを排出できるように構成されている。
【００３５】
増量タンク３６は樹脂で形成されるものであり、図４、図９、図１０に示すように、下面に縦向き姿勢の保持リブ３６Ａが形成され、後面位置には後方に突出する縦向き姿勢の保持リブ３６Ａが形成され、上部には上方に開放する供給口３６Ｃが形成されている。また、増量タンク３６の上部には供給口３６Ｃを開閉する着脱型の蓋部材５１を備え、この増量タンク３６の下部の側面には側方に突出する排出筒５２が形成され、この排出筒５２には、増量タンク３６の肥料を供給管３４の中間位置に供給する供給ホース５３が連通する状態で接続している。
【００３６】
このように、増量タンク３６の供給ホース５３が供給管３４の中間位置に接続しているため、貯留タンク３５に貯留される肥料の液面レベルと、増量タンク３６に貯留される肥料の液面レベルとは等しくなる。そして、貯留タンク３５の肥料と増量タンク３６の肥料とをポンプユニット３７に供給して施肥を行うことが可能となり、作業の終了時のように肥料を排出する場合には供給管３４の下端のキャップ３４Ｂを取り外すことにより、貯留タンク３５に残存する肥料と、増量タンク３６に残存する肥料とを供給管３４の下端から排出できるように構成されている。
【００３７】
図９、図１０に示すように、走行機体Ａの前端位置に左右の増量タンク３６を支持するステー４５が備えられている。このステー４５はパイプ材が用いられ、中央に水平姿勢となる固定部４５Ａを形成し、この固定部４５Ａの左右両端側に斜め上方に持ち上がる傾斜姿勢のアーム部４５Ｂを形成し、このアーム部４５Ｂの外端位置に水平姿勢の支持部４５Ｃを形成している。このステー４５の固定部４５Ａが機体フレーム２０に連結され、ステー４５の左右のアーム部４５Ｂを繋ぐ位置に補強ステー４６を備えている。ステー４５の左右の支持部４５Ｃには横長姿勢の保持ブラケット４７と、縦長姿勢の保持アーム４８とが備えられている。また、前部位置の支柱状フレーム２５に備えられる連結ブラケット４１と保持ブラケット４７とが連結体４９によって連結されている。
【００３８】
増量タンク３６は、保持ブラケット４７に底部が受け止められる姿勢で支持され、下面の保持リブ３６Ａを保持ブラケット４７に対して保持ボルト５４で締結し、上部の保持リブ３６Ａを保持アーム４８の上端に対して保持ボルト５４で締結することで保持姿勢を安定させている。
【００３９】
〔保持フレーム〕
図４、図６、図７に示すように、貯留タンク３５に対して補給容器６０から肥料を補給する際に補給容器６０の排出口６１を貯留タンク３５の補給口３５Ｃに上方から嵌め込んだ姿勢を維持するように、貯留タンク３５と補給容器６０との相対的な位置関係を維持して保持する保持フレームＦが貯留タンク３５に備えられている。補給容器６０は箱状であり、保持フレームＦは、貯留タンク３５のタンク外壁に支持される複数の棒状材を用いて箱状の補給容器６０を受け止めるように構成されている。
【００４０】
つまり、保持フレームＦは、補給容器６０に接触する状態で受け止める前後向き姿勢の左右一対の接触ロッド７３を、補給口３５Ｃの両側位置で開口縁と略等しいレベルで備え、補給容器６０の側壁に接触する位置に配置される横向き姿勢の規制ロッド７２を接触ロッド７３の前端位置より高い位置に備え、この接触ロッド７３と規制ロッド７２とを接続する支持ロッド７１を備えて構成されている。
【００４１】
左右一対の接触ロッド７３の前端部分は接続部７３Ａによって一体化するように接続しており、この接続部７３Ａはバックル３３Ｂの上部位置で貯留タンク３５の外壁面に接触状態で支持されている。また、左右一対の接触ロッド７３の後端部分はヒンジ３３Ａに嵌め込む状態で支持されている。支持ロッド７１は、その前端部に縦向き姿勢となる縦ロッド部７１Ａを形成し、この縦ロッド部７１Ａの上端を規制ロッド７２に連結し、その後端部が接触ロッド７３に連結している。特に、左右の支持ロッド７１のうち機体外方に位置するものの中間位置が貯留タンク３５の前部の上面に接触している。
【００４２】
規制ロッド７２の両端部分を、補給容器６０が収容される幅の位置で後方に向けて折り曲げて横規制部７２Ａが形成され、この横規制部７２Ａの後端部を下方に折り曲げ、更に、接触ロッド７３に向かう方向に折り曲げて形成される屈折部７２Ｂを接触ロッド７３と同じレベルで接触ロッド７３に連結している。更に、前後の支柱状フレーム２５を連結する連結フレーム３１と、接触ロッド７３とを補強フレーム７４で連結することで保持フレームＦを強固に支持して姿勢を安定させている。
【００４３】
貯留タンク３５の補給口３５Ｃは、機体前方側が低いレベルとなる傾斜姿勢で形成され、この傾斜姿勢と平行するように保持フレームＦも全体的に傾斜しており、補給容器６０は排出口６１を下側にして傾斜姿勢で保持フレームＦに保持した保持状態では、貯留タンク３５の補給口３５Ｃの内部に補給容器６０の排出口６１が嵌め込まれる相対的な位置関係となるように補給容器６０の保持位置が設定されている。
【００４４】
従って、補給容器６０に貯留されている肥料を貯留タンク３５に補給する場合には、排出口６１を下側に向けて保持フレームＦに支持することで、この補給容器６０のうち排出口６１が形成された外壁（保持状態で底部となる外壁）が接触ロッド７３と補給口３５Ｃの開口縁に接触すると共に、補給容器６０の側壁のうち前側のものが規制ロッド７２に接触し、この側壁に連なる左右の側壁が横規制部７２Ａで挟み込む形態で接触する状態となり、補給容器６０は安定的に支持される。また、保持フレームＦは、左右の接触ロッド７３の後端がヒンジ３３Ａに支持され、この接触ロッド７３の接続部７３Ａが貯留タンク３５の外壁の上面に接触し、一方の支持ロッド７１が貯留タンク３５の外壁の上面に接触しているため、補給容器６０の重量が作用する場合にも、その重量を貯留タンク３５で受け止めさせ、この保持フレームＦの姿勢を安定的に保持する。
【００４５】
尚、補給容器６０は、柔軟に変形し得る素材を用いた袋状に形成されたものでも良い。また、保持フレームＦは、補給容器６０の排出口６１を基準にして、この鉛直下方の位置に貯留タンク３５の補給口３５Ｃが配置される位置関係に保持する構成でも良い。このように保持フレームＦを構成したものでも、排出口６１から排出された肥料が貯留タンク３５の補給口３５Ｃに対して直接的に供給できることになる。
【００４６】
〔実施形態の作用・効果〕
このような構成から、貯留タンク３５に対して補給容器６０からペースト状の肥料を補給する場合には、貯留タンク３５の蓋部材５１を開放しておき、排出口６１を下向きにして補給容器６０を保持フレームＦに支持することで、貯留タンク３５の補給口３５Ｃの内部に補給容器６０の排出口６１を嵌め込むように保持位置が設定される。このような位置関係に維持されることから、肥料が排出口６１の外部にこぼれ出ることがなく、粘性の高い肥料のように補給容器６０の排出口６１から排出されるに時間を要する場合でも、作業者が補給容器６０を長時間支持する等の手間を掛けずに済み、楽な作業を実現する。
【００４７】
また、保持フレームＦが、貯留タンク３５に支持され、この保持フレームＦで補給容器６０を嵌め込む状態で支持するため、補給容器６０の重量を貯留タンク３５に受け止めて安定的な支持が実現する。また、保持フレームＦが複数の棒状材で構成されているので、保持フレームＦの軽量化を実現し、雨水や塵埃が保持フレームＦに付着する不都合も抑制される。
【００４８】
走行機体Ａの前部位置の左右の予備苗載置ユニットＣの予備苗載台Ｃａの下側の空間を有効に利用して貯留タンク３５を配置しており、予備苗載台Ｃａを支持する支柱状フレーム２５に貯留タンク３５を支持することで、貯留タンク３５を支持するための専用の大型のフレームを用いずに済む。また、保持フレームＦが補強フレーム７４により支柱状フレーム２５に連結する構造を有しているので、保持フレームＦの支持強度を高めることになり、貯留タンク３５を一層安定的に支持できる。
【００４９】
貯留タンク３５からポンプユニット３７に肥料を供給する供給管３４に対して、増量タンク３６の内部空間に連通する供給ホース５３が接続しており、貯留タンク３５と増量タンク３６との底壁のレベルが略等しく設定されているので、貯留タンク３５に肥料を補給した場合には、肥料が貯留タンク３５に貯留されると同時に供給ホース５３を介して増量タンク３６にも供給され、この増量タンク３６に対して肥料の補給を行わずに済む構成となっている。また、作業を終了した場合には供給管３４のキャップ３４Ｂを取り外すことで、貯留タンク３５に貯留されている肥料と増量タンク３６に貯留されている肥料とを同時に排出することも可能となる。
【００５０】
〔別実施形態〕
本発明は、上記した実施形態以外に以下のように構成しても良い。
（ａ）貯留タンク３５を走行機体Ａの後部に配置する。このように配置した場合にも、保持フレームＦを備えることで肥料の補給を容易にする。
【００５１】
（ｂ）走行機体Ａに薬剤散布装置を備えた水田作業機の貯留タンク３５に保持フレームＦを備える。このように構成することにより、保持フレームＦに補給容器６０を保持することで、薬剤の粘性が高くとも、補給時の手間を軽減できる。尚、供給装置として薬剤散布装置を走行機体Ａに備えた水田作業機において、別実施形態（ａ）で説明したように貯留タンク３５を走行機体Ａの後部に配置し、貯留タンク３５に保持フレームＦを備えることで薬剤の補給を容易にする。
【００５２】
（ｃ）肥料又は薬剤として、粘性が低い液状の肥料又は薬剤を用いる。粘性に拘わらず貯留タンク３５に肥料又は薬剤を補給する作業は重労働であり、貯留タンク３５に保持フレームＦを備えることで作業者の作業を軽減する。
【００５３】
（ｄ）増量タンク３６を備えずに施肥装置Ｄ又は薬剤散布装置を構成する。増量タンク３６を備えないことにより増量タンク３６を支持するためのフレーム類を必要とせず、走行機体Ａの軽量化、小型化が実現する。
【産業上の利用可能性】
【００５４】
本発明は、貯留タンクに貯留されている肥料又は薬剤を圃場に供給する供給装置を備えている作業機全般に利用することができる。
【符号の説明】
【００５５】
２５          支柱状フレーム
３５          貯留タンク
３５Ｃ        補給口
３７          繰出機構（ポンプユニット）
６０          補給容器
６１          排出口
７４          補強フレーム
Ａ            走行機体
Ｂ            苗植付装置
Ｃａ          予備苗載台
Ｄ            供給装置（施肥装置）
Ｆ            保持フレーム
Ｗ            苗（マット状苗）
【図１】
2013055909.tif 000003
【図２】
2013055909.tif 000004
【図３】
2013055909.tif 000005
【図４】
2013055909.tif 000006
【図５】
2013055909.tif 000007
【図６】
2013055909.tif 000008
【図７】
2013055909.tif 000009
【図８】
2013055909.tif 000010
【図９】
2013055909.tif 000011
【図１０】
2013055909.tif 000012